(57)【要約】【課題】ランダムアクセスの記憶媒体対応の編集用記録再生機器と、本来はランダムアクセスの記憶媒体を想定していない以前からの周辺機器とを組み合わせたシステム構成であっても、アセンブル編集が通常に問題なく行えるようにする。【解決手段】アセンブル編集のための追加記録の終了コマンドの受信に応答して、先ず、所定期間だけ追加記録を延長し、エディットプレイのステイタスを通知する。追加記録の延長を終了させて実質停止状態となったら、擬似的にプレイのステイタスを一定期間にわたって通知する。これにより、編集指示装置側により、エディット・オフコマンドの送信後においてディスク記録再生装置がプレイ状態にあるものと認識させ、次の編集手順に移行させるようにする。【選択図】図５
2008146752.tif 000002
【特許請求の範囲】
【請求項１】
ランダムアクセスの記憶媒体に対応してデータの記録再生を行う記録再生手段と、
所定の編集手法に従ったデータ編集結果が上記記憶媒体の記録データとして得られるようにするために外部の編集指示装置が出力する、一連の所定の命令情報を入力する命令情報入力手段と、
上記命令情報入力手段により入力した命令情報に応答した所要の動作が実行されるように、少なくとも上記記録再生手段におけるデータの記録再生動作についての制御を含む処理を実行する応答処理実行手段と、
上記一連の所定の命令情報のうち、編集素材の追加データを上記記録再生手段により記憶媒体に記録させる編集記録の終了を命令する編集記録終了命令に応答しては、この編集記録終了命令の入力以降における所定期間である応答期間にわたって、上記記録再生手段の状態が少なくとも停止ではないものとして上記編集指示装置により認識させるようにするとともに、上記応答期間内における所定タイミングで上記記録再生手段による上記編集記録としてのデータ記録の実行が停止されるように、上記応答処理実行手段を制御する制御手段と、
を備えることを特徴とする記録再生装置。
【請求項２】
上記制御手段は、
上記応答期間において、上記編集記録としてのデータ記録が延長して実行されるように上記記録再生手段を制御する、
ことを特徴とする請求項１に記載の記録再生装置。
【請求項３】
上記制御手段は、
上記応答期間において、上記記録再生手段による上記編集記録としてのデータ記録が終了されて以降のタイミングで、停止以外の所定の状態であることを通知する状態通知情報を上記編集指示装置に対して出力するようにされる、
ことを特徴とする請求項１に記載の記録再生装置。
【請求項４】
上記制御手段は、
上記応答期間における所定時間による前半期間は、上記編集記録としてのデータ記録が継続したうえで終了するように上記記録再生手段を制御し、上記応答期間における所定時間による後半期間は、停止以外の所定の状態であることを通知する状態通知情報を上記編集指示装置に対して出力するようにされる、
ことを特徴とする請求項１に記載の記録再生装置。
【請求項５】
ランダムアクセスの記憶媒体に対応してデータの記録再生を実行する記録再生実行手順と、
所定の編集手法に従ったデータ編集結果が上記記憶媒体の記録データとして得られるようにするために外部の編集指示装置が出力する、一連の所定の命令情報を入力する命令情報入力手順と、
上記命令情報入力手順により入力した命令情報に応答した所要の動作が実行されるように、少なくとも上記記録再生実行手順におけるデータの記録再生動作についての制御を含む処理を実行する応答処理実行手順と、
上記一連の所定の命令情報のうち、編集素材の追加データを上記記録再生手段により記憶媒体に記録させる編集記録の終了を命令する編集記録終了命令に応答しては、この編集記録終了命令の入力以降における所定期間である応答期間にわたって、上記記録再生実行手順の状態が少なくとも停止ではないものとして上記編集指示装置により認識されるようにしたうえで、上記応答期間内における所定タイミングで上記記録再生実行手順による上記編集記録としてのデータ記録の実行が停止されるように、上記応答処理実行手順を制御する制御手順と、
を実行することを特徴とする記録再生方法。
【請求項６】
ランダムアクセスの記憶媒体に対応してデータの記録再生を実行する記録再生実行手順と、
所定の編集手法に従ったデータ編集結果が上記記憶媒体の記録データとして得られるようにするために外部の編集指示装置が出力する、一連の所定の命令情報を入力する命令情報入力手順と、
上記命令情報入力手順により入力した命令情報に応答した所要の動作が実行されるように、少なくとも上記記録再生実行手順におけるデータの記録再生動作についての制御を含む処理を実行する応答処理実行手順と、
上記一連の所定の命令情報のうち、編集素材の追加データを上記記録再生手段により記憶媒体に記録させる編集記録の終了を命令する編集記録終了命令に応答しては、この編集記録終了命令の入力以降における所定期間である応答期間にわたって、上記記録再生実行手順の状態が少なくとも停止ではないものとして上記編集指示装置により認識されるようにしたうえで、上記応答期間内における所定タイミングで上記記録再生実行手順による上記編集記録としてのデータ記録の実行が停止されるように、上記応答処理実行手順を制御する制御手順と、
を記録再生装置に実行させるプログラム。
【発明の詳細な説明】
【技術分野】
【０００１】
本発明は、例えば、記憶媒体に記憶されているビデオ・オーディオデータなどのデータを編集元にして、これに新規なデータの追加記録を行っていくような態様の編集（アセンブル編集）に好適とされる記録再生装置、及びその方法に関する。また、このような記録再生装置が実行するプログラムに関する。
【背景技術】
【０００２】
例えば、放送関係などの業種で利用される業務用のビデオカメラ装置や、その周辺の編集機器（映像関連機器）などでは、撮像により得られた映像情報を扱うのにあたりテープ状記録媒体を使用することが主流であった。しかし、最近の光学ディスク状記憶媒体の記憶可能容量が、撮影業務の実用に足る程度に増加してきたことや、圧縮符号化技術の進歩などを背景として、光学ディスク状記憶媒体を利用した業務用映像関連機器が開発されてきている。これにより、業務用の映像機器の分野でも、記録データ品質の劣化がないことや、記憶媒体の持ち運びサイズが小型になるなどの、ディスク状記憶媒体の利点を享受できることになる。
【０００３】
一般的なこととして、光学ディスク状記録媒体のようにしてランダムアクセスが可能な記憶媒体に記録した映像情報を編集する場合には、例えばコンピュータ装置のＨＤＤなどに編集素材となるビデオデータをコピーするなどして記憶させて取り込んだうえで、編集用のアプリケーションソフトウェアを操作して、例えば、これらの記憶された映像情報から取り出した任意の区間（シーン）をつなぎ合わせるなどの作業を行うようにされる。このような態様の編集は、ノンリニア編集といわれる。ノンリニア編集は、上記もしているように、映像情報がデジタル化されてランダムアクセスが可能な記憶媒体に記憶されるような環境に適した編集の方式であり、また、一般ユーザにとっては、ノンリニア編集のほうがかえって作業をしやすく、編集の面白みも味わうことができる。このために、例えば民生において映像情報を編集するアプリケーションソフトウェアなどは、このノンリニア編集を行うことを前提としてつくられている。
【０００４】
しかしながら映像を業務として扱う現場では、以前からリニア編集がしばしば行われてきた。これは、先ず、記憶媒体としてはテープ状記録媒体が主流であって、元来、リニア編集を行いやすい環境にあったことと、例えば番組の放送時間に間に合わせる必要などから、短時間のうちに編集を行う必要にせまられる状況が多いことがその理由として挙げられる。リニア編集作業は、熟練者にとっては実に感覚的であって、非常に早く編集結果を作成できることから、映像関連業務の現場ではいまでも重宝されている。
そして、このような事情を背景に、業務用の映像関連機器において編集に関連するものとしても、リニア編集を行うことを前提に構成されたものが既に広く普及している状況にある。
【０００５】
ちなみに、リニア編集としては、アセンブル編集がしばしば行われる。アセンブル編集は、元々は、別々のテープ状記録媒体（ビデオテープカセット）に記録されたに映像情報から必要なシーンを、１つのマスターテープといわれるテープカセットに対してまとめて記録していく編集を指すものである。その手順としては、例えば或るテープカセットからマスターテープにダビングをするときには、実際に必要なシーンの終端から少し余分な時間だけ延長してダビングをし、次のテープカセットからマスターテープにダビングをするときには、先にダビングされた映像のシーンの終端までマスターテープを戻した上で、ここから次のシーンの映像のダビングをするようにされる。
【０００６】
【特許文献１】特開昭５７−６６５７７号公報
【発明の開示】
【発明が解決しようとする課題】
【０００７】
上記のようなことが背景としてあるために、例えば業務用の映像関連機器を使用するユーザの間では、編集用記録再生機器として光学ディスク状記憶媒体などのランダムアクセスの記憶媒体に対応する機器を採用したとしても、これまでと同様の要領でアセンブル編集を始めとするリニア編集が行えるようにしたいという要望が強い。
さらに、このようなユーザは、既にテープ状記録媒体に対応したリニア編集用の周辺機器を揃えて所有していることが通常なために、上記のようにして、ランダムアクセスの記憶媒体対応の編集用記録再生機器にも、これらの以前からの周辺機器を組み合わせて使用したいという要望がある。
【０００８】
そこで、本願発明としては、ランダムアクセスの記憶媒体対応の編集用記録再生機器と、本来はランダムアクセスの記憶媒体を想定していない以前からの周辺機器とを組み合わせたシステム構成であっても、リニア編集（アセンブル編集）が通常に問題なく行えるようにすることを目的とする。
【課題を解決するための手段】
【０００９】
そこで本発明は上記した課題を考慮して、記録再生装置として次のように構成する。
つまり、ランダムアクセスの記憶媒体に対応してデータの記録再生を行う記録再生手段と、所定の編集手法に従ったデータ編集結果が上記記憶媒体の記録データとして得られるようにするために外部の編集指示装置が出力する、一連の所定の命令情報を入力する命令情報入力手段と、この命令情報入力手段により入力した命令情報に応答した所要の動作が実行されるように、少なくとも記録再生手段におけるデータの記録再生動作についての制御を含む処理を実行する応答処理実行手段と、一連の所定の命令情報のうち、編集素材の追加データを記録再生手段により記憶媒体に記録させる編集記録の終了を命令する編集記録終了命令に応答しては、この編集記録終了命令の入力以降における所定期間である応答期間にわたって、記録再生手段の状態が少なくとも停止ではないものとして編集指示装置により認識させるようにするとともに、応答期間内における所定タイミングで記録再生手段による編集記録としてのデータ記録の実行が停止されるように、応答処理実行手段を制御する制御手段とを備えることとした。
【００１０】
上記構成の記録再生装置は、外部の編集指示装置から出力される一連の命令情報に応じて、ランダムアクセスの記憶媒体に対する記録再生ほかの所要の動作を実行することで、この記憶媒体に対して編集結果としてのデータの記録が行われるようにされている。
そして、一連の命令情報のうちで、編集素材の追加データを上記記録再生手段により記憶媒体に記録させる編集記録の終了を命令する編集記録終了命令に応答した動作としては、この編集記録終了命令の入力以降における所定期間（応答期間）にわたって、記録再生手段の状態が少なくとも停止ではないものとして編集指示装置により認識させるようにするとともに、応答期間内における所定タイミングで記録再生手段による編集記録としてのデータ記録の実行が停止されるようにする。
例えば、本来は、テープ状記録媒体を使用する編集を前提としている編集指示装置の中には、編集として追加データの記録を停止させた後においてテープ状記録媒体をそのまま走行させた状態としておくことを前提に、以降の命令情報を出力するようにしたものがある。本願発明の記録再生装置として上記の構成を採ることで、追加データの記録停止後において、現実には記録再生装置側が記録再生停止状態にあるとしても、編集指示装置では、記録再生（テープ状記録媒体の走行駆動）を停止していないと判断することになる。
【発明の効果】
【００１１】
このようにして、本願発明では、編集記録が現実に停止された後においても、編集指示装置側では、記録再生装置が記録再生停止以外の状態にあるものとして認識することになり、従って、これより以降の正常な編集指示装置からの命令出力とこれに応答した記録再生装置の動作を得ることができる。つまり、ランダムアクセスの記憶媒体に対応する記録再生装置と、本来はテープ状記録媒体などのランダムアクセスではない記憶媒体を前提とする編集指示装置との組み合わせによっても、編集指示装置の編集指示に応じた編集が正常に行われることになるものである。
【発明を実施するための最良の形態】
【００１２】
図１は、本願発明を実施するための最良の形態（以下、実施の形態という）としてのディスク記録再生装置の構成例を示している。このディスク記録再生装置１０が、本願発明としての記録制御装置の構成を含む。また、このディスク記録再生装置１０は、例えば映像情報と、これに再生時間が同期した音声情報から成る映像・音声情報について編集を行うための編集機器としての機能を有するものである。
【００１３】
図１において、スピンドルモータ１２は、サーボ制御部１５から出力されるスピンドルモータ駆動信号に基づいて、光ディスク１１をＣＬＶ（Ｃｏｎｓｔａｎｔ  Ｌｉｎｅａｒ  Ｖｅｌｏｃｉｔｙ）またはＣＡＶ（Ｃｏｎｓｔａｎｔ  Ａｎｇｕｌａｒ  Ｖｅｌｏｃｉｔｙ）により回転駆動する。
【００１４】
ピックアップ部１３は、信号処理部１６から供給される記録信号に基づき、記録用のレーザ光を出力して、光ディスク１１に信号記録を行う。また、ピックアップ部１３は、光ディスク１１に対してレーザ光を合焦させるようにして照射するとともに、光ディスク１１からの反射光を光電変換して電流信号を生成し、ＲＦ（Ｒａｄｉｏ  Ｆｒｅｑｕｅｎｃｙ）アンプ１４に供給する。なお、レーザ光の照射位置は、サーボ制御部１５からピックアップ部１３に供給されるサーボ制御信号により所定の位置に制御される。
【００１５】
ＲＦアンプ１４は、ピックアップ部１３からの電流信号に基づいて、フォーカスエラー信号、トラッキングエラー信号、及び再生信号を生成する。トラッキングエラー信号及びフォーカスエラー信号はサーボ制御部１５に入力され、再生信号は信号処理部１６に入力される。
【００１６】
サーボ制御部１５は、フォーカスサーボ制御、及びトラッキングサーボ制御などのサーボ制御を実行する。例えばサーボ制御部１５は、ＲＦアンプ１４から入力されるフォーカスエラー信号、トラッキングエラー信号に基づいて、フォーカスサーボ制御信号、トラッキングサーボ制御信号を生成し、ピックアップ部１３のアクチュエータ（図示せず）に出力する。またサーボ制御部１５は、スピンドルモータ１２を駆動するスピンドルモータ駆動信号を生成して、光ディスク１１を所定の回転速度で回転させるスピンドルサーボ制御も実行するようにされる。
【００１７】
さらにサーボ制御部１５は、ピックアップ部１３自体を光ディスク１１の径方向に移動させてレーザ光の照射位置を移動させるスレッド制御を行う。
なお、光ディスク１１から信号（データ）を読み出すにあたっての信号読み出し位置（アドレス）の指定は、制御部２０によって行われ、指定された読み出し位置から信号が読み出されるようにして上記スレッド制御を含む、光ディスク１１に対するレーザ光の照射位置が制御される。
【００１８】
信号処理部１６は、記録時においては、メモリコントローラ１７から入力される記録用データについて記録変調を施して記録信号を生成し、ピックアップ部１３に供給する。また、再生時の信号処理部１６は、ＲＦアンプ１４からの再生信号について復調処理を実行して再生データを得てメモリコントローラ１７に供給する。
【００１９】
メモリコントローラ１７は、データ変換部１９から出力されてくる記録データを、後述するように、適宜、メモリ１８に書き込んで一時的に保持させるるとともに、これを読み出して信号処理部１６に出力する。また、メモリコントローラ１７は、信号処理部１６から転送されてくる再生データを、適宜、メモリ１８に書き込んで一時的に保持させるとともに、これを読み出してデータ変換部１９に出力するする。
【００２０】
データ変換部１９は、信号入出力装置３１から入力される、ビデオカメラ（図示せず）で撮影記録したことによりビデオカメラ側の記憶媒体に記憶された、撮影画像と収音音声から成る映像・音声情報であるとか、他の映像機器などにより記憶媒体（図示せず）から再生された映像・音声情報を、必要に応じて、所定の圧縮符号化形式により圧縮符号化してメモリコントローラ１７に転送する。
【００２１】
データ変換部１９は、また、メモリコントローラ１７から転送されてくる映像・音声の再生データについて、必要に応じて、圧縮符号化に対応する復号（伸長）処理を施して所定の信号形式による映像・音声信号に変換し、信号入出装置３１に出力する。
【００２２】
制御部２０は、サーボ制御部１５、信号処理部１６、メモリコントローラ１７、およびデータ変換部１９を制御し、記録再生動作を実行させる。
なお、制御部２０は、例えば、マイクロコンピュータとしての構成を有して成り、従って、ＣＰＵと、ＲＯＭ、ＲＡＭ、フラッシュメモリなどの記憶装置を備える。
【００２３】
操作部２１は、例えばディスク記録再生装置１０の本体に設けられる各種操作子と、この操作子に対して行われた操作に応じた操作信号を発生して制御部２０(ＣＰＵ)に出力する操作信号出力部とを一括して示している。制御部２０は、入力された操作信号に応答した動作が実行されるようにして、所要の制御処理を実行する。
【００２４】
上記構成において、例えば映像・音声の信号（データ）を記録する場合の、記録信号の流れとしては次のようになる。
この場合には、先ず、信号入出力装置３１から記録用データを入力させるようにする。このようにして入力された記録用データとしての映像・音声信号は、データ変換部１９において例えば圧縮符号化などの処理が施され、メモリコントローラ１７によりメモリ１８に一時保持された後に読み出しが行われて信号処理部１６に出力される。信号処理部１６に入力された記録用データは記録変調処理が施され、記録信号としてピックアップ部１３に出力される。そして、ピックアップ部１３により、入力される記録信号に応じたレーザ光の照射が行われることで、光ディスク１１に対してデータ記録が行われる。
【００２５】
また、再生時においては、ピックアップ部１３により光ディスク１１に記憶されている信号が電流信号として読み出される。この電流信号は、ＲＦアンプ１４により二値化された再生信号に変換され、信号処理部１６にて記録変調に対する復調処理が施されて、映像・音声の再生信号データとしてメモリコントローラ１７に転送される。メモリコントローラ１７によっては、転送されてきた再生信号データをメモリ１８経由でデータ変換部１９に出力する。データ変換部１９に入力された再生信号データは、例えば必要に応じて圧縮符号化に対する伸長処理が施されて、所定形式の映像・音声信号とされて、信号入出力装置３１に対して出力される。
【００２６】
また、上記のようにして光ディスク１１に記録され、再生されるデータは、所定方式によるファイルシステムにより管理されるようになっている。制御部２０は、プログラムに従ってファイルシステム制御を実行するようにされる。
【００２７】
また、このディスク記録再生装置１０に対しては、編集指示装置３２を接続可能とされている。
業務用映像機器の分野では、本実施の形態のディスク記録再生装置１０のような編集機器についてはレコーダなどといわれるが、編集指示装置３２は、例えばレコーダの周辺機器の１種として、エディタなどといわれるものである。
この編集指示装置３２は、例えば本来は、本実施の形態のディスク記録再生装置１０より前から普及しているとされる、磁気テープ状記録媒体に対応するレコーダなどとの使用を前提として製造されており、レコーダにより、アセンブル編集などのリニア編集をはじめとする、所定の編集手法に応じた記録再生動作を実行させるための操作と、これに応じたレコーダへの命令（コマンド）出力が行えるように構成されたものである。
例えば制御部２０は、編集指示装置３２から出力された命令を受信すると、この受信した命令に応答した動作が実行されるようにして、所要の制御処理を実行するようにされる。
【００２８】
ここで、上記もしているように、編集指示装置３２は、本来は磁気テープ状記録媒体に対応するレコーダと組み合わせて使用するものとされる。そこで、編集指示装置３２と、磁気テープ状記録媒体に対応するレコーダとにより、リニア編集の１手法であるアセンブル編集を行う場合について説明しておく。
【００２９】
先ず、アセンブル編集は、リニア編集における代表的な編集の１手法であり、先にも説明したように、本来はテープ状記録媒体の使用を前提に、マスターテープに映像をダビング、即ち追加記録をしていきながら、後から新規にダビングする映像により、既に記録されている映像の不要部分を上書き消去するようにして、編集結果を時系列に従って作成していく編集手法をいう。
【００３０】
例えば、編集指示装置３２を使用しなくとも、レコーダに設けられている操作子に対する操作を行うことで編集は可能とされるのであるが、編集指示装置３２を使用すれば、より高い操作性で編集作業を行うことが可能になる。またさらに、編集指示装置３２を使用することによっては、例えば予めイン点（アセンブル編集の場合には、追加記録開始位置をいう）などを設定したうえで、編集動作を自動実行させるための操作を編集指示装置に対して行うことで、以降の編集のための記録再生装置１０の動作を、編集指示装置側から自動的にコントロールすることも可能となる。
【００３１】
図２のフローチャートは、アセンブル編集の自動実行時における、編集指示装置３２の実行処理手順を示している。確認のために述べておくと、ここでは、編集指示装置３２と接続されるレコーダは、本実施の形態のディスク記録再生装置１０ではなく、これより以前から在る磁気テープ状記録媒体に対応して記録再生を行う記録再生装置とされる。
また、この図に示す処理手順を開始するのにあたっては、編集指示装置３２から、レコーダに対して、これよりアセンブル編集を自動実行する旨が通知されており、レコーダ側では、以降において自身が実行する動作は、アセンブル編集の自動実行に対応したものであることを把握しているようにされる。また、この図に示す処理手順の実行に先立っては、予めの操作などにより、イン点とアウト点などの編集に必要な項目についての設定は為されている。アセンブル編集において、イン点とは、編集元（編集の下地）として記憶媒体（ここでは磁気テープ状記録媒体）に記録されている映像における、ダビング映像（追加映像）の記録開始位置を指す。また、アウト点とは、ダビング映像の記録終了位置を指す。
【００３２】
そして、編集指示装置３２は、アセンブル編集の自動実行をコントロールするための最初の手順として、ステップＳ１０１によるキューアップコマンド（キューアップを命令する命令情報）をレコーダに対して送信出力するようにされる。ここでは図示していないが、このキューアップコマンドを受信入力したレコーダでは、プリロールとしてのキューアップ動作を実行する。プリロールは、イン点から所定の再生時間分だけ前となる磁気テープ状記録媒体上の位置（プリロール位置）まで、磁気テープ状記録媒体を巻き戻す動作をいう。
【００３３】
次に編集指示装置３２は、上記ステップＳ１０１によるキューアップコマンドに応答したレコーダのキューアップの動作が成功したか否かについて判別する。レコーダにおいてキューアップの動作が正常に完了したのであれば、レコーダは、例えばキューアップコマンドに対するレスポンスとしてキューアップの動作が正常に完了したこと（キューアップ成功）を通知する。この通知を受信した場合には、ステップＳ１０２にてキューアップが成功したものとして判別され、ステップＳ１０３に進む。
これに対して、例えば何らかの原因で、キューアップコマンドがレコーダ側にて受信されなかった、又は受信されたとしてもキューアップの動作を正常に完了実行することができなかった場合には、レコーダから編集指示装置３２に対しては、一定時間以内にレスポンスを返すことができない、あるいはレスポンスとしてキューアップ動作がエラーになったことを通知することになる。このようなレスポンスの状態を検知すると、編集指示装置３２は、ステップＳ１０２にてキューアップが成功しなかった（失敗した）と判定する。この場合には、以降の処理手順を中断して終了する。つまり、アセンブル編集の自動実行を中断させる。
【００３４】
ステップＳ１０３では、磁気テープ状記録媒体の再生（磁気テープ状記録媒体の通常走行）を命令するプレイコマンドを送信する。これに応じて、レコーダは、プリロール位置からの再生を開始する。磁気テープ状記録媒体において、イン点から適正に追加映像の記録が開始されるようにするためには、イン点よりも前から磁気テープ状記録媒体を安定走行させておいた上で、イン点に至ったときに追加映像の記録を開始させるようにする必要がある。イン点よりも前から磁気テープ状記録媒体を走行させることを助走ともいうが、ステップＳ１０３のプレイコマンドに応答した磁気テープ状記録媒体の再生は、この助走のためのものであり、上記したプリロールは、この助走のために磁気テープ状記録媒体を走行させる分を確保するための動作である。
【００３５】
プレイコマンドを送信した後、編集指示装置３２は、ステップＳ１０４によりレコーダ１０がプレイ状態にあるか否かについて判別する。つまり、ステップＳ１０３によるプレイコマンドに応答して、レコーダが正常に磁気テープ状記録媒体を走行させている状態にあるか否かを判別するものである。
ステップＳ１０３によるプレイコマンドの受信に応答して、レコーダが正常に助走としての磁気テープ状記録媒体の走行を実行させているとされる状態のときには、レコーダからは、自身の状態、状況を通知するステイタスとして、プレイ状態にあることを編集指示装置３２に対して定期的に出力するようにされる。なお、このステイタスとしてプレイ状態にあることの意味は、再生動作を実行中にあることのみを指すのではなく、記録、再生にかかわらず、磁気テープ状記録媒体を走行させている状態を指しているものとされる。
上記のようにして、レコーダからプレイのステイタスが送信されてくる場合には、編集指示装置３２は、ステップＳ１０４にて肯定の判別結果を得ることになり、ステップＳ１０５に進むようにされる。これに対して、何らかの原因により、ステップＳ１０３のプレイコマンドの送信から一定時間を経過しても、レコーダからのレスポンスが得られない、あるいは、何らかのエラーを示す旨のレスポンスが返送されてきた場合には、ステップＳ１０４にて否定結果が得られることとなる。この場合には、以降の処理手順を中断して終了する。
【００３６】
レコーダが正常に助走としての磁気テープ状記録媒体の走行を実行させているのであれば、この磁気テープ状記録媒体の記録位置は、或るタイミングで、イン点に至ることになる。このイン点に至るとするタイミングに対応させて、編集指示装置３２は、ステップＳ１０５によりエディット・オンコマンドをレコーダに対して送信する。レコーダでは、磁気テープ状記録媒体を助走させながら、追加映像のソースの信号を入力して取り込むようにされている。そして、エディット・オンコマンドの受信に応答して、追加映像のソースの信号（追加映像信号）の磁気テープ状記録媒体への記録を開始させる。つまり、この場合のエディット・オンコマンドは、アセンブル編集としての追加映像の記録（編集記録）の開始を命令するコマンドとされる。
【００３７】
ステップＳ１０６では、ステップＳ１０５により送信したエディット・オンコマンドに応答して、レコーダが上記の編集記録を実行しているか否かについて判別するようにされる。レコーダは、編集記録を正常に開始させた場合には、以降において、ステイタスとして編集記録を実行中にあることを編集指示装置３２に対して定期的に送信するようにされる。
上記のようにして、レコーダから編集記録実行中のステイタスが送信されてくる場合には、編集指示装置３２は、ステップＳ１０６にて肯定の判別結果を得てステップＳ１０７に進む。これに対して、何らかの原因により、ステップＳ１０５によるエディット・オンコマンドの送信から一定時間を経過しても、レコーダからのレスポンスが得られない、あるいは、エラーのレスポンスが返送された、或いは、編集記録を実行中であること以外のステイタスが返送されてきた場合には、ステップＳ１０６にて否定結果が得られることとなり、以降の処理手順を中断して終了する。
【００３８】
ステップＳ１０７では、追加映像についてのアウト点にまで至ったとされるタイミングに応じて、これまでの追加映像の記録を終了させるエディット・オフコマンドを送信する。
このエディット・オフコマンドを受信したレコーダでは、これまでの追加映像の信号を磁気テープ状記録媒体に記録する動作は停止させる。但し、磁気テープ状記録媒体の走行については停止させることなく、そのまま維持させる。例えば、追加映像の信号の記録と共に磁気テープ状記録媒体の走行も停止させることとすると、アウト点付近に対応する磁気テープ状記録媒体上の記録が正常にならない可能性がある。上記のようにしてアウト点以降において磁気テープ状記録媒体の走行を維持させるのは、このような不都合を避けることなどを目的として行われるものである。
【００３９】
そして、ステップＳ１０７によるエディット・オフコマンドの送信後においては、ステップＳ１０８により、レコーダがプレイ状態であるか否かについて判別するようにされる。上記のようにして、レコーダ側が、追加映像の信号の記録の終了後において磁気テープ状記録媒体を引き続き走行させているのであれば、これに応じて、レコーダからは、プレイのステイタスが送信されてくる。このプレイのステイタスが送信されてくる場合、ステップＳ１０８では肯定の判別結果が得られることになり、ステップＳ１０９に進む。これに対して、なんらかの原因で、追加映像の信号の記録が終了されずに、編集記録実行中であることのステイタスが継続して送信されてくる、あるいは、何らかのエラーが返されてくる、あるいは磁気テープ状記録媒体の走行が停止してしまい、このことを示すステイタスが返されてくるなど、プレイのステイタス以外のステイタスであるとかレスポンスなどが返されてくる場合には、ステップＳ１０８にて否定の判別結果が得られることになり、以降の処理を中断して終了する。
【００４０】
ステップＳ１０９においては、磁気テープ状記録媒体におけるアウト点に対応する位置まで戻るべきことを命令するキューアップコマンドを送信する。このキューアップコマンドを受信したレコーダは、磁気テープ状記録媒体の再生位置がアウト点に対応する位置にまで戻るようにして、磁気テープ状記録媒体の巻き戻しを実行する。
ステップＳ１１０では、上記ステップＳ１０９により送信したキューアップコマンドに応答した、レコーダのキューアップの動作が成功したか否かについて判別する。この場合にも、レコーダは、キューアップの動作が正常に完了すればキューアップの動作が正常に完了したことをレスポンスとして通知することになるので、ステップＳ１１０にて肯定の判別結果が得られることとなって、ステップＳ１１１に進む。これに対して、何らかの障害により、キューアップの正常完了を通知するレスポンスが一定時間内に返送されてこなかった場合には、以降の処理を中断して終了する。
なお、このようにしてアウト点まで磁気テープ状記録媒体を戻すのは、次の追加映像の記録（ダビング）が、今回の編集記録に続けて直ぐに行われる可能性のあることを考慮したものである。アウト点にまで磁気テープ状記録媒体を戻しておけば、次のダビングのためのイン点を、アウト点から遡るようにして映像を再生していって見つけることができる。つまり、イン点を探すのに、無駄のない効率的な作業とすることができる。
【００４１】
ステップＳ１１１では、編集記録終了後において編集指示装置３２に対して行われる操作を待機しており、何らかの操作が行われたのであれば、ステップＳ１１２に進む。
ステップＳ１１２では、今回行われた操作がレビュー再生を指示するものであるか否かを判別する。レビュー再生を指示するものではないとして否定の判別結果が得られた場合には、この図に示す手順を抜けて、実際に指定された操作内容に応じた手順に移行するようにされる。これに対して、レビュー再生を指示する操作であるとして肯定の判別結果が得られた場合には、ステップＳ１１３に進む。
【００４２】
ステップＳ１１３では、レビュー再生操作に応答して、レビュー再生が自動実行されるようにするための制御を実行する。ここでのレビュー再生とは、アセンブル編集としての編集記録を終了させた後において、その編集結果を確認するために磁気テープ状記録媒体を再生することをいう。
そこで、ステップＳ１１３のレビュー再生制御としては、先ず、編集指示装置３２からレコーダに対してイン点まで巻き戻し（キューアップ）を命令し、イン点までの巻き戻しが完了したら、ここからアウト点までの再生を命令するようにされる。レコーダは、この命令に応じて、磁気テープ状記録媒体をイン点まで巻き戻した上で、アウト点までの再生を行うようにされる。つまり、レビュー再生が実行される。なお、ここでは、レビュー再生が一度完了したのであれば、ステップＳ１１１に戻ることとしている。
【００４３】
上記図２による説明から理解されるように、編集指示装置３２は、磁気テープ状記録媒体に対応して記録再生を行うレコーダを対象として、少なくともアセンブル編集を始めとするリニア編集のための制御を実行するようにして構成されているものである。つまり、編集指示装置３２としては、本来は、例えば本実施の形態のディスク記録再生装置１０のようなランダムアクセスの記憶媒体に対応するレコーダより以前において主流となっていた、磁気テープ状記録媒体に対応するレコーダと組み合わされることのみを想定して製造されたものである。
【００４４】
ここで、本実施の形態のディスク記録再生装置１０に代表されるようなランダムアクセスの記憶媒体に対応する業務用映像機器を提供しようとする場合の事情を考えてみる。すると、ユーザとしては、既に、磁気テープ状記録媒体に対応した映像機器を一通りは揃えて所有している、あるいは所有していなくとも、既に広く普及して標準的な地位を占めているという環境において、買い換え、若しくは或る種類の映像機器についてランダムアクセスの記憶媒体の利点を共有したいなどの理由で、必要なものから、ランダムアクセスの記憶媒体に対応する業務用映像機器を購入、導入していくことが通常となる。
すると、ユーザとしては、新規に導入したランダムアクセス記憶媒体対応映像機器と、これまでに所有している磁気テープ状記録媒体対応映像機器の使用環境の中で、これまでの磁気テープ状記録媒体対応の映像機器とほぼ同様の操作、扱いにより使用したいという要望を持つことになる。
【００４５】
上記のような要望を、ランダムアクセス記憶媒体対応の映像機器として構成されるレコーダ（ランダムアクセス記憶媒体対応レコーダ）と、編集指示装置３２との関係に当て嵌めると、ランダムアクセス記憶媒体対応レコーダを使用した編集を、既に磁気テープ状記録媒体に対応して標準的となっている編集指示装置３２を使用して今まで通りの作業手順でもって行えるように配慮することが好ましいということになる。
【００４６】
上記したようなことを背景とすれば、ランダムアクセス対応記憶媒体対応レコーダについて、編集指示装置３２に対応して動作可能なようにすることが必要であることになる。つまり、ランダムアクセス対応記憶媒体対応レコーダとして、編集指示装置３２からの命令に応答した所要の動作が実行されるようにして構成することが必要となる。
【００４７】
上記のようにして、編集指示装置３２に対応させるためのランダムアクセス対応記憶媒体対応レコーダの基本的な構成としては、例えば、編集指示装置３２が準拠するとされる通信規格の物理層に対応するコネクタ、信号入出力回路などをはじめとしたハードウェアをランダムアクセス対応記憶媒体対応レコーダに設けると共に、この物理層より上の階層に対応する機能として、例えば入力されたコマンドなどを解釈して、これに応答した処理を実行できるようにするためのプログラムをインストールするようにされる。
【００４８】
ただし、編集指示装置３２は、先にも説明したように、磁気テープ状記録媒体に対応するレコーダとの組み合わせによる使用を前提して作られたものであり、従って、そのコマンド内容や出力手順などしても、先の図２により説明したように、レコーダが磁気テープ状記録媒体を駆動することを前提としたものとなっている。このために、上記のようにして編集指示装置３２に対応するランダムアクセス記憶媒体対応レコーダについて、編集指示装置３２から出力されるコマンドの命令内容に応答した相応の動作を単純に実行させるだけの構成とした場合には、次に述べるような不具合を生じることになる。
【００４９】
図３は、上記のようにして、コマンドの命令内容に応答した動作を単純に実行するだけの編集指示装置への対応機能（単純対応機能）が与えられたものとして構成したランダムアクセス記憶媒体対応レコーダを制御対象として、編集指示装置３２が、図２と同様のアセンブル編集のためのコントロールを実行したとする場合の処理手順の流れを示したものである。この図の左側には、図２と同様の編集指示装置３２の手順が示されており、右側には、上記の単純対応機能が与えられたランダムアクセス対応記憶媒体対応レコーダについての、編集指示装置３２からのコマンドに応答した処理手順が示される。
【００５０】
図３において、先ず、ステップＳ１０１によりキューアップコマンドをレコーダに対して送信出力したとされると、レコーダでは、このキューアップコマンドをステップＳ２０１により受信する。そして、この受信したキューアップコマンドに応答して、先ずステップＳ２０２によりプリロールとしてのキューアップ動作を実行する。この場合のプリロールの動作としては、ランダムアクセス記憶媒体に対して行うものなので、磁気テープ状記録媒体を逆走行させるのではなく、例えば、イン点としてのデータ位置に対して、プリロールに必要な再生時間だけ前となるデータ位置のアドレスを算出して保持する、という処理を実行するようにされる。そして、このような処理を完了したとすると、次のステップＳ２０３にて、プリロールを完了させたことに応じて、編集指示装置３２に対してレスポンスとしてキューアップ成功通知を出力する。
上記キューアップ成功通知のレスポンスを受信した編集指示装置３２は、ステップＳ１０２にてキューアップが成功したものとして判別してステップＳ１０３に進み、プレイコマンドを送信する。
レコーダでは、ステップＳ２０４により上記プレイコマンドを受信し、ステップＳ２０５によりプレイを開始させる。つまり、助走としてのプリロールされた位置からの磁気テープ状記録媒体の走行を開始させる。このプレイの開始を実行して以降、レコーダは、編集指示装置３２に対して、プレイのステイタスを周期的に通知するようにされる。編集指示装置３２は、このようにして送信されてくるプレイのステイタスを受信することで、ステップＳ１０４にてプレイ状態であると判別して、ステップＳ１０５に進む。そして、ステップＳ１０５では、磁気テープ状記録媒体上の記録位置がイン点に対応する位置にまで至ったとするタイミングでエディット・オンコマンドを送信する。
【００５１】
上記エディット・オンコマンドは、ステップＳ２０６によりレコーダにて受信される。レコーダは、このエディット・オンコマンドの受信に応答して、ステップＳ２０７により編集記録（追加映像の信号）を開始する。以降において、この編集記録を実行している間においては、エディットプレイ（編集記録中）のステイタスを通知するようにされる。編集指示装置３２は、このステイタスを受信することになり、これによりステップＳ１０６としては肯定の判別結果が得られてステップＳ１０７に進む。
【００５２】
ステップＳ１０７では、追加映像について設定したアウト点にまで至ったとされるタイミングに応じて、これまでの追加映像の信号の記録を終了させるための、エディット・オフコマンドを送信する。レコーダでは、ステップＳ２０８によりこのエディット・オフコマンドを受信する。そして、このエディット・オフコマンドの受信に応答して、これまでの編集記録としての追加映像の信号の記憶媒体への記録（書き込み）を停止させる。
【００５３】
ここで、レコーダが、以前からの磁気テープ状記録媒体に対応する構成のものである場合、図２にて述べたように、編集記録としての追加映像の信号の記録が終了したとしても、磁気テープ状記録媒体の走行は少なくとも一定時間継続させることとしていた。これにより、編集記録の終了後においてはレコーダからプレイのステイタスを通知する状態となり、従って、編集指示装置３２では、ステップＳ１０８にて肯定の判別結果を得ることができていたものである。ちなみに、周知のようにして、磁気テープ状記録媒体へのアクセスは、走行されるテープ状の領域に対して記録再生ヘッド所定のスキャン方式によりスキャンを行うというものであるから、上記のようにして、追加映像の信号の記録のみを完了させても、そのまま磁気テープ状記録媒体を走行駆動して居さえすれば、その信号の記録された終端位置より後ろに信号が記録済みとされているかどうかにかかわらず、磁気テープ状記録媒体の走行、つまり再生を継続することが当然可能であることになる。
これに対して、図３で想定しているレコーダは、例えば光学ディスク状記憶媒体などをはじめとするランダムアクセス記憶媒体とされる。ランダムアクセス記憶媒体の場合には、そこに記録されるデータは、一般にファイルシステムなどによりファイル相当のデータ単位で管理される。そして、アセンブル編集の場合には、追加映像として記録されたデータの終端は、そのまま、ファイルの終端として管理されることになる。すると、図３のステップＳ２０９の編集記録としては、ファイルの終端位置までのデータ書き込みとなることから、ファイルとしては、これより以降において再生できるデータは残っていないということになる。従って、レコーダは、ステップＳ２０９による編集記録の終了に伴っては、以降、磁気テープ状記録媒体であれば走行の停止を意味する、ストップ（停止）であることを示すステイタスを出力することになる。
【００５４】
すると、編集指示装置３２におけるステップＳ１０８では、上記のストップのステイタスを受信することにより、プレイ状態ではないとして否定の判別結果が得られることになり、この時点で処理を終了することになってしまう。
つまり、編集指示装置３２を使用するアセンブル編集としては、編集記録を終了させた後においても、ステップＳ１０９以降に対応するアウト点へのキューアップに自動的に進行するべきであるのにも関わらず、レコーダがランダムアクセス記憶媒体対応である場合には、編集記録が終了した時点で中断してしまい、次の段階に移行できないという不具合を生じることになる。
【００５５】
また、以前からのアセンブル編集では、磁気テープ状記録媒体の先頭、又は先頭から一定再生時間が進行するまでの区間を、イン点として追加信号の記録を開始するとはできないことが通常とされている。これは、イン点からの追加信号の記録開始を高い信頼性で行うのには、先の説明のようにして助走を行って、磁気テープ状記録媒体がイン点に至ったときには、安定した走行状態が得られているようにすることが必要条件であるとされているからである。
これとは別の理由で、ランダムアクセス記憶媒体に対応してアセンブル編集を行うにあたっても、記憶媒体の記憶領域における論理的な先頭位置、若しくは、編集元となる映像などのファイルの先頭位置、また、上記記憶領域の先頭（若しくはファイル先頭）から一定再生時間の進行区間内の位置をイン点として追加記録を行うことは、単純対応機能が与えられただけのレコーダでは困難となる。この点について、図４を参照して説明する。
【００５６】
ここで、図４に示すようにして、ステップＳ１０１によりキューアップコマンドが送信されると、レコーダでは、ステップＳ３０１によりこれを受信し、ステップＳ３０２によりプリロールの動作を実行しようとする。
ここで、指定されているイン点は、編集元として記憶媒体に記憶されているファイルの先頭（又は記憶領域の論理的な先頭位置）、若しくは、ファイル先頭（若しくは記憶領域の論理的先頭位置）からプリロールに対応する再生時間だけ進行した位置までの範囲内での位置であるとする。すると、プリロールの処理として、例えば先に述べたようにして、イン点としてのデータ位置に対して、プリロールに必要な再生時間だけ前となるデータ位置のアドレスを算出しようとすると、このプリロール位置のアドレスは、ファイル先頭（若しくは記憶領域の論理的先頭位置）よりも前であることになる。つまり、実存しないアドレスが求められることになってしまう。このために、処理結果としてはエラーとなるので、例えばレコーダは、ステップＳ３０３として示すようにして、キューアップコマンドに対するレスポンスとして、実行結果がエラーを示す情報を返送することになる。
【００５７】
すると、編集指示装置３２では、上記のキューアップ実行エラーのレスポンスを受信することになり、ステップＳ１０２としては否定の判別結果を得ることになる。これにより、編集指示装置３２は、この段階でアセンブル編集のための処理を終了することになる。つまり、この場合には、ロールアップがエラーとなってアセンブル編集が中止されてしまうことになる。
【００５８】
本来、アセンブル編集は、１つのマスターの記憶媒体に対して順次ダビングを繰り返していく手法であるから、現在の編集内容の先頭（つまり磁気テープ状記録媒体の先頭、ランダムアクセス記憶媒体の論理的記憶領域の先頭位置、ファイル先頭位置）から、追加映像をダビングするような作業はほとんど必要とはされない。しかしながら、編集内容の先頭をイン点として追加映像をダビングすることが可能となるのであれば、それだけ編集の自由度としては高まることになるので、このような機能を特に妨げる理由はないものと考えられる。
【００５９】
そこで、本実施の形態のディスク記録再生装置１０は、ランダムアクセス記憶媒体に対応するレコーダとして、編集指示装置３２によるコントロールに従ってアセンブル編集を実行する場合において、先ずは、上記図３により説明した、編集記録を終了した段階で一連のアセンブル編集動作が中断してしまわないように構成する。これは、ユーザにとって、これより以前の磁気テープ状記録媒体対応のレコーダと同様に、編集指示装置３２により本実施の形態のディスク記録再生装置１０をコントロールしてアセンブル編集ができるようにすることを配慮したものである。
そのうえで、上記図４によって説明した、記憶媒体における記憶領域の論理的先頭位置、若しくはファイルの先頭位置、また、これらの先頭位置から一定再生時間（プリロール時間に対応する）を経過したデータ位置までの範囲区間における位置をイン点として設定できないことについての解決を図る。
以降、この点について説明を行っていく。
【００６０】
先ず、ディスク記録再生装置１０について、編集指示装置３２のコントロールに応答した編集のための動作を実行可能とするのにあたっては、図３によっても述べたように、先ずは、編集指示装置３２が準拠するとされる通信規格の物理層に対応するハードウェアと、この物理層より上の階層に対応した、コマンド解釈、コマンド内容に応答した処理などが制御部２０により実行されるようにするためのプログラムをインストールするようにされる。
【００６１】
そして、本実施の形態のディスク記録再生装置１０としては、上記のプログラムに従って制御部２０が図５に示される処理手順を実行するように構成される。図５において、左側には、例えば図２に示したのと同じ、アセンブル編集を自動実行させるための編集指示装置３２の一連の処理手順が示される。右側に、この編集指示装置３２の処理に対応して実行される本実施の形態のディスク記録再生装置１０の処理手順の例が示される。
【００６２】
先ず、編集指示装置３２からは、ステップＳ１０１によりプリロールのためのキューアップコマンドを送信してくる。ディスク記録再生装置１０では、このキューアップコマンドをステップＳ４０１により受信すると、これに応答して、ステップＳ４０２以降の手順に進む。
【００６３】
ステップＳ４０２では、プリロール目標位置を算出する。このためには、この図に示す手順の実行前の段階において今回のアセンブル編集のために設定されているイン点（光ディスクに記憶済の編集元のファイルにおいて追加記録開始位置として設定されたデータ位置）と、プリロールにより遡るべき再生時間（プリロール時間）とを利用して、プリロールによりアクセスされるべき編集元のファイルのデータ位置（アドレス）を算出して、求めるようにされる。つまり、イン点としてのデータ位置から、上記プリロール時間に相当するデータ区間だけ遡ったデータ位置（アドレス）を求めるものであり、これが上記プリロール目標位置となる。
【００６４】
次のステップＳ４０３では、上記のようにして算出されたプリロール目標位置について、光ディスクに記憶済の編集元のファイルの先頭（若しくは、光ディスク１１の記録可能領域における論理的先頭位置）よりも前であるか否かについての判別を行うようにされる。
ここで、プリロール目標位置としてのデータ位置が、編集元ファイルの先頭以降であるとして、否定の判別結果が得られた場合には、ステップＳ４０４の手順に進む。
【００６５】
ステップＳ４０４〜ステップＳ４０７の手順は、例えば図３に示したレコーダ側のステップＳ２０２〜Ｓ２０５の手順と同様となる。
【００６６】
プリロール目標位置としてのデータ位置の算出結果が、編集元ファイルの先頭よりも前を示し、実質的に、プリロール目標位置が存在しないとされる場合には、ステップＳ４０８〜Ｓ４０９の手順を実行する。
先ず、ステップＳ４０８によっては、仮想キューアップの処理を実行する。
この仮想キューアップの処理としては、先ず、ロールアップ後の編集元ファイルの位置として、ステップＳ４０２にてプリロール目標位置として算出された仮想のデータ位置（アドレス）を設定する。また、例えば磁気テープ状記録媒体に対応する現実のキューアップの実行時には、磁気テープ状記録媒体の巻き戻しに応じて編集元映像のタイムコードを編集指示装置３２に対して送信しているのであるが、ステップＳ４０８としては、擬似的に、このタイムコードを生成して編集指示装置３２に対して出力する。そして、仮想のプリロール目標位置に対応したタイムコードを出力させたとすると、擬似的にキューアップ成功通知のレスポンスを生成して編集指示装置３２に対して出力する。
このようにして、ステップＳ４０８としての処理が実行されることで、編集指示装置３２としては、ステップＳ１０２に対応して、タイムコードと、これに続くキューアップ成功通知のレスポンスを受信することとなり、次のステップＳ１０３に進んで、助走のためのプレイコマンドを送信する。
【００６７】
ステップＳ４０９では、上記ステップＳ１０３により送信されたプレイコマンドを受信し、これに応答してステップＳ４１０に進む。
ステップＳ４１０では、上記プレイコマンドの受信に応答した動作として、次のような疑似的なプレイ動作を開始させる。
先ずは、プリロール目標位置とされる仮想のデータ位置から再生を開始させたものとして、この再生進行に応じたタイムコードを編集指示装置３２に対して出力する。また、このときには現実には光ディスク１１に対する記録再生を実行していないので、ステイタスとしては停止（ストップ）を示すことになるが、ここでは、擬似的にプレイのステイタスを出力する。そして、上記のようにして出力させたタイムコードが、編集元ファイルの先頭を示す値に到達したのであれば、このタイミングで、実際に、光ディスク１１の再生を、編集元ファイルの先頭から開始させる。このようにして実際に光ディスク１１の再生を開始させた後は、再生進行に応じて実際に得られるタイムコードと、実際の動作状態に応じて発生されるプレイのステイタスを編集指示装置３２に対して出力するようにされる。
ステップＳ４１０として、このような処理が実行されることで、編集指示装置３２側では、助走に応じて進行するタイムコードと、プレイのレスポンスを受信することになる。これにより、ステップＳ１０４としては肯定の判別結果が得られることとなって、ステップＳ１０５に進むことができる。
【００６８】
ステップＳ１０５により、助走の再生が進行してイン点に至ったとされるタイミングに応じて送信されたエディット・オンコマンドは、ディスク記録再生装置１０においてステップ４１１により受信され、これに応答した処理として、次のステップＳ４１２により編集記録を開始することになる。つまり、編集元ファイルにおいてイン点として設定されたデータ位置から、追加映像としての信号を上書き記録していくためのデータの書き込みを開始させる。
ここで、上記ステップＳ４０８〜Ｓ４１０を経てステップＳ４１１、Ｓ４１２の処理が実行された結果としては、編集元ファイルの先頭位置、若しくは、編集元ファイルの先頭位置からプリロール時間分進行したデータ位置までの区間内のデータ位置をイン点とした追加映像の信号の記録が開始されることになる。ランダムアクセス記憶媒体は、磁気テープ状記録媒体のようにして記録開始前における助走的な動作は必要がない。なお、ランダムアクセス記憶媒体として、本実施の形態が対応するような光ディスク１１は、信号の記録再生のために回転駆動されることが必要であり、この回転についての安定した状態が要求されはする。このことは、磁気テープ状記録媒体の安定走行と対応するもののようにみえる。しかしながら、磁気テープ状記録媒体に対するデータの記録再生が、物理的に走行する磁気テープ状記録媒体に対して接するヘッドによる磁界印加であるのに対して、光学ディスク状記録媒体は、回転駆動される光ディスクに対して、空間を介してレーザ光を照射して記録再生が行われるものである点で、根本的に異なる。従って、光ディスクについては、予めこれを安定して回転駆動させておいた状態としたうえで、光学ヘッドからのレーザ光の照射をコントロールすることで、信号記録の開始／終了が行えるものである。つまり、ランダムアクセス記憶媒体の場合は、その種別がディスク状のものであっても、本来は、ファイル先頭位置（記憶領域の論理的先頭位置）から上書きとしての信号記録を行うことは可能とされていものである。そこで、本実施の形態としては、このことを利用して、ステップＳ４０８〜Ｓ４１０としての手順を実行するように構成することとし、これにより、上記のようにして、編集元ファイルの先頭位置、若しくは、編集元ファイルの先頭位置からプリロール時間分進行したデータ位置までの区間内のデータ位置をイン点とすることを可能としている。
そして、上記のようにして、ステップＳ１１２により編集記録を開始したことに応じては、以降、ディスク記録再生装置１０から編集指示装置３２に対しては、エディットプレイ（編集記録中であることを示す）のステイタスを出力することになるので、編集指示装置３２においてはステップＳ１０６にて肯定の判別結果が得られ、ステップＳ１０７により、アウト点にまで至ったとされるタイミングでエディット・オフコマンドを送信することになる。
【００６９】
レコーダは、ステップＳ４１３によりエディット・オフコマンドを受信し、これに応答した処理として、ステップＳ４１４、Ｓ４１５の手順を実行する。
先ず、ステップＳ４１４においては、エディット・オフコマンドに直ちに応答して追加映像の信号の書き込みを停止するのではなく、所定のフレーム期間（例えば１フレーム）に対応する時間長だけ延長して、追加映像の信号の書き込みを継続させる。そして、この追加映像の信号の書き込みを延長させた期間においては、その実際の動作に対応して、エディットプレイのステイタスを編集指示装置３２に対して出力する。そして、上記の所定フレーム期間を経過したとされると、続いては、ステップＳ４１５により、これまでに実行していた追加映像の信号の書き込み（編集記録）を停止させる。これにより、現実のステイタスとしては停止（ストップ）であることになるが、ステップＳ４１５としては、編集記録の停止に続けて、さらに所定フレーム期間（例えば１フレーム）にわたって、擬似的にプレイのステイタスを生成して編集指示装置に対して出力する。
このようにして、ステップＳ４１４、Ｓ４１５の手順が実行されることで、エディット・オフコマンド受信後において、先ずはステップＳ４１４により所定フレーム期間にわたって、実際のエディットプレイの動作に応じたエディットプレイのステイタスが送信される。次に、ステップＳ４１５により、追加映像の信号記録が停止されたうえで、擬似的にプレイのステイタスが送信されることになる。
すると、編集指示装置３２側では、ステップＳ１０７によるエディット・オフコマンドの送信後において、ステップＳ４１４とステップＳ４１５の処理期間（例えば２フレーム相当の時間長となる）にわたってストップ以外のプレイ系のステイタスを受信することになる。これにより、ステップＳ１０８においては肯定の判別結果が得られることとなって、ステップＳ１０９以降に進むことができる。つまり、編集記録終了段階でアセンブル編集が中断されることなく、次のアウト点へのキューアップ動作、さらにレビュー再生などの動作に移行することが可能になる。
【００７０】
図５においては、編集指示装置３２が実行するステップＳ１０９以降の処理に対応する、ディスク記録再生装置１０側の処理として、ステップＳ４１６、Ｓ４１７が示されている。
ステップＳ４１６は、ステップＳ１０９により編集指示装置３２から送信されるキューアップコマンドを受信し、これに応答してアウト点へのキューアップ（つまり、アウト点に対応する記録データ位置へのアクセス）を実行するようにされ、さらに、このキューアップとしての動作の完了に応じて、キューアップ成功のレスポンスを返すようにされる。
また、ステップＳ４１７では、編集指示装置３２から送信されるレビュー再生制御のための各種のコマンドを受信し、これに応答した動作を実行する。この結果、レビュー再生が実行される。
【００７１】
なお、上記図５におけるステップＳ４１４、Ｓ４１５の手順は、何れも、編集記録を終了させた後において、編集指示装置３２に対してプレイのステイタスであると認識させる結果を生じるのであるが、各ステップの処理手順は、次のような意味を持つ。
先ず、ステップＳ４１４は、実際に編集記録を実行させることにより、ファイル終端が、実際のアウト点よりも後ろのデータ位置となるようにしてマージンを確保することを目的としている。例えば、光ディスク１１のようなランダムアクセス記憶媒体について、エディット・オフコマンドにそのまま応答して編集記録としての追加記録を終了させたとすると、この後のレビュー再生を実行したときに、例えばアウト点以前（つまりファイル終端）において再生すべき実データが存在しない状態であると認識されるなどの原因で、エラーとなる可能性がある。そこで、ステップＳ４１４により上記のマージンを確保することにより、このようなエラーの発生する可能性を回避しているものである。
ただし、例えば或るフレーム期間を越えて、上記のマージンを確保するようにしてしまうと、アウト点よりも明らかに後まで編集記録が行われた結果を生むことになるので、信頼性を落とす可能性が出てくる。そこで、ステップＳ４１４によるマージン確保は、上記の信頼性が確保できる程度の期間（例えば１フレーム）を設定し、以降においてプレイのステイタスを通知すべき期間において、ステップＳ４１５により疑似的にプレイのステイタスを送信することとしているものである。
従って、例えばプレイのステイタスを通知すべき期間と、上記のマージン確保に必要とする期間との兼ね合いによっては、ステップＳ４１４に対応する一定期間の編集記録の延長のみを実行して、次のステップＳ４１５に対応する擬似的なプレイのステイタスの送信処理を省略するという手順としてもよいものである。また、これとは逆に、特にマージンを確保することを考慮しなくとも、例えばレビュー再生がエラーになることなく安定して実行できるのであれば、一定期間の編集記録の延長を実行することなく、擬似的なプレイのステイタスの送信処理のみを所要期間により実行するように構成してもよいものである。
【００７２】
また、上記図５に示される、本実施の形態のディスク記録再生装置１０が実行するものとされる処理手順は、例えば図１の制御部２０のハードウェア構成部位であるＣＰＵが、同じ制御部２０に備えられるとされるＲＯＭ、あるいはフラッシュメモリなどの記憶装置に記憶されるプログラムをロードして実行することで実現されるものとしてみることができる。
このようなプログラムは、上記のようにして、例えば制御部２０内の記憶装置に対して製造時などに書き込んで記憶させるほか、リムーバブルの記憶媒体に記憶させておいたうえで、この記憶媒体からインストールさせるようにしてディスク記録再生装置１０に記憶させることが考えられる。また、ネットワーク上のサーバなどにおける記憶装置に記憶させておいたうえで、ディスク記録再生装置１０にネットワーク機能を持たせることとし、ディスク記録再生装置１０がサーバにアクセスしてダウンロードを行うことでインストールされるようにすることが考えられる。
【００７３】
また、本発明としては、これまでに説明した実施の形態に限定されない。例えば、本実施の形態においては、ランダムアクセス記憶媒体対応の記録再生装置として、光学ディスク状記録媒体に対応するものとしているが、例えばハードディスク装置などの他のディスク状記録媒体とされても構わない。また、ディスク状記録媒体以外の、例えばフラッシュメモリなどを始めとする半導体記憶装置などに対応する記録再生装置についても本発明の適用が可能である。
また、本願発明は、例えばインサート編集など、アセンブル編集以外のリニア編集を行うときにも適用できる。
【図面の簡単な説明】
【００７４】
【図１】本発明の実施の形態としてのディスク記録再生装置の構成例を示す図である。
【図２】アセンブル編集の自動実行のために編集指示装置が実行する処理手順例を示すフローチャートである。
【図３】編集指示装置により、アセンブル編集の自動実行のためにランダムアクセス記憶媒体に対応するレコーダをコントロールした場合の動作結果例を示すためのフローチャートである。
【図４】編集指示装置により、アセンブル編集の自動実行のためにランダムアクセス記憶媒体に対応するレコーダをコントロールした場合の他の動作結果例を示すためのフローチャートである。
【図５】アセンブル編集の自動実行のために編集指示装置が実行する処理手順例と、これに対応する実施の形態のディスク記録再生装置の処理手順例とを示すフローチャートである。
【符号の説明】
【００７５】
１０  ディスク記録再生装置、１１  光ディスク、１２  スピンドルモータ、１３  ピックアップ部、１４  ＲＦアンプ、１５  サーボ制御部、１６  信号処理部、１７  メモリコントローラ、１８  メモリ、１９  データ変換部、２０  制御部、２１  操作部、３１  信号入出力装置、３２  編集指示装置
【図１】
2008146752.tif 000003
【図２】
2008146752.tif 000004
【図３】
2008146752.tif 000005
【図４】
2008146752.tif 000006
【図５】
2008146752.tif 000007